(57)【要約】【課題】阻害要因に対応しつつ、光量低下の程度を正確に認識し、早すぎず、かつ、遅すぎない適切なタイミングでの光源の交換を促す。【解決手段】画像読取装置は、基準板、光を照射する光源、イメージセンサー、読み取りラインを移動させる移動機構、光源に流す電流を制御する電流制御回路、各受光素子のアナログ信号を濃度値に変換するＡ／Ｄ変換回路、基準濃度値を記憶する記憶部、光源に基準電流を流し、基準濃度値に基づき基準値を定め、基準板の汚れの影響を受けた影響画素を選び出し、影響画素ではない画素の現在の濃度値と、影響画素の濃度値を調整した後の濃度値の何れか一方又は両方に基づき現在値を定め、現在値を基準値で除した比率が閾値以下のとき、光源の寿命と判定する制御部、光源の寿命と判定されたとき光源の交換を促す報知を行う報知部を含む。【選択図】図５
2017229026.tif 000002
【特許請求の範囲】
【請求項１】
基準板と、
読取対象に光を照射するための光源と、
主走査方向に並べられ原稿の反射光を光電変換する受光素子を複数含むイメージセンサーと、
前記読取対象の読み取りラインを移動させる移動機構と、
前記光源に流す電流を制御する電流制御回路と、
それぞれの前記受光素子から出力されるアナログ信号を濃度値にディジタル変換するＡ／Ｄ変換回路と、
前記受光素子のうちの特定受光素子について、使用開始当初の前記光源に基準電流を流して前記基準板を読み取ったときに得られた濃度値を前記基準濃度値として記憶する記憶部と、
前記光源への前記基準電流の供給を前記電流制御回路に行わせ、前記基準濃度値に基づき基準値を定め、前記基準板の読み取りで得られた画像データの濃度値に基づき前記特定受光素子に対応する画素のなかから前記基準板の汚れの影響を受けた影響画素を選び出し、前記特定受光素子に対応する画素のうち前記影響画素ではない画素の濃度値である現在濃度値と、前記影響画素の濃度値に対し前記基準板の汚れの影響を除去する調整をした後の調整濃度値の何れか一方又は両方に基づき現在値を定め、前記現在値を前記基準値で除して比率を求め、前記比率が予め定められた閾値以下であるとき、前記光源の寿命がきたと判定する寿命判定処理を行う制御部と、
前記制御部が前記光源の寿命がきたと判定したとき、前記光源の交換を促す報知を行う前記報知部と、を備えることを特徴とする画像読取装置。
【請求項２】
前記寿命判定処理では、
前記移動機構は、前記基準板の下方で前記読み取りラインを移動させ、
前記イメージセンサーは、前記読み取りラインの移動にあわせ、副走査方向の異なる位置で前記基準板を読み取り、
前記制御部は、前記影響画素が含まれていない前記読み取りラインの画像データに含まれる前記現在濃度値に基づき前記現在値を定めることを特徴とする請求項１に記載の画像読取装置。
【請求項３】
前記寿命判定処理では、
前記移動機構は、前記基準板の下方で前記読み取りラインを移動させ、
前記イメージセンサーは、前記移動機構の前記読み取りラインの移動にあわせ、副走査方向の異なる位置で前記基準板を読み取り、
前記制御部は、前記調整として、主走査方向又は副走査方向で前記影響画素を挟む画素であって、前記基準板の汚れの影響を受けていない画素の濃度値の平均値への置換を行い、前記調整濃度値を用いて前記現在値を定めることを特徴とする請求項１に記載の画像読取装置。
【請求項４】
周囲温度を検知するための温度センサーを含み、
前記制御部は、前記温度センサーの出力に基づき前記周囲温度を検知し、
前記記憶部は、前記基準濃度値の設定時の前記周囲温度を設定時温度として記憶し、
前記制御部は、現在の前記周囲温度と前記設定時温度との温度差を求め、前記温度差が予め定められた許容範囲内のとき前記光源の寿命の判定を行い、前記温度差が前記許容範囲外のとき前記光源の寿命の判定を行わないことを特徴とする請求項１乃至３の何れか１項に記載の画像読取装置。
【請求項５】
周囲温度を検知するための温度センサーを含み、
前記制御部は、前記温度センサーの出力に基づき前記周囲温度を検知し、
前記記憶部は、前記基準濃度値の設定時の前記周囲温度である設定時温度と現在の前記周囲温度との温度差に対応する係数を定めた温度補正データを記憶し、
前記制御部は、前記寿命判定処理のとき、前記温度差を求め、現在の前記周囲温度での前記基準板の読み取りで得られた画像データに含まれる各画素の濃度値に、前記温度差に対応する前記係数を乗じて、現在の前記周囲温度が前記設定時温度であるならば得られると予測される値に各画素の濃度値を補正し、補正後の濃度値に基づき前記現在値を定めることを特徴とする請求項１乃至３の何れか１項に記載の画像読取装置。
【請求項６】
前記特定受光素子は、予め定められた位置の複数の前記受光素子であり、
前記制御部は、複数の前記特定受光素子の前記基準濃度値の平均値を前記基準値と定め、複数の前記特定受光素子に対応する前記現在濃度値と、前記調整濃度値の何れか一方、又は、両方の平均値を前記現在値と定めることを特徴とする請求項１乃至５の何れか１項に記載の画像読取装置。
【請求項７】
前記特定受光素子は、予め定められた位置の１つの前記受光素子であり、
前記制御部は、１つの前記特定受光素子の前記現在濃度値又は１つの前記特定受光素子の前記調整濃度値を前記現在値と定め、１つの前記特定受光素子の前記基準濃度値を前記基準値と定めることを特徴とする請求項１乃至５の何れか１項に記載の画像読取装置。
【請求項８】
前記基準濃度値は、前記画像読取装置の組み立て後、出荷前に記憶されたものであることを特徴とする請求項１乃至７の何れか１項に記載の画像読取装置。
【発明の詳細な説明】
【技術分野】
【０００１】
本発明は、原稿の読取を行う画像読取装置に関する。
【背景技術】
【０００２】
画像読取装置には、原稿に光を照射する光源や、原稿の反射光を受光して光電変換を行うイメージセンサーが設けられる。画像読取装置で原稿を高画質で読み取るには、光量、イメージセンサーの各受光素子の電荷蓄積期間のような様々な事項を適切に設定しなければならない。一方で、画像読取装置を利用できるようになるまでの待ち時間は、できるだけ短いことが望ましい。
【０００３】
特許文献１には、高画質を維持しつつ、光源点灯開始から可能な限り早期に画像を読み取ることができる画像読取装置が記載されている。具体的に、特許文献１には、原稿に光を照射する冷陰極管（光源）、原稿の反射光を光電変換するリニアセンサー、リニアセンサーの出力アナログ信号を増幅する増幅部、増幅されたアナログ信号をディジタル信号に変換するＡ／Ｄ変換部、を備え、光源点灯後、リニアセンサーで読み取った基準白色板に対する光量の変化率が一定範囲に収束したとき、基準白色板に対する光量が目標光量となるようにリニアセンサーの電荷蓄積時間を調整し、調整完了後に原稿の読取動作を許容し、光源の点灯後の経過時間を計時は、原稿の読取動作の開始時に調整されたリニアセンサーの出力を計時された経過時間に基づいて補正する画像読取装置が記載されている。この構成により、ファーストコピーまでの時間を短縮し、リニアセンサーの出力を補正して適正な画像データを得る（特許文献１：請求項１、段落［０００９］等参照）。
【先行技術文献】
【特許文献】
【０００４】
【特許文献１】特開２０１０−００４４４４号公報
【発明の概要】
【発明が解決しようとする課題】
【０００５】
画像読取装置の使用期間が長くなるほど光源の劣化が進み、同じ大きさの電流を光源に供給しても、光源の光量は、使用開始当初よりも小さくなってゆく。光源に流す電流の大きさの調整や、イメージセンサーの信号のゲイン調整のような光量低下に対応する方策はとられるものの、光量低下が進むほど画質の維持が難しくなる。最終的に、画質的に問題となるほど光源の光量が低下したり、光源が点灯しなくなったりする。定期的に光源の光量低下の程度を確認し、光源の寿命が尽きる前に光源の交換を行うことが好ましい。
【０００６】
ある読取対象を読み取り、得られた画像データの各画素の濃度値に基づき、光源の光量低下の程度を測ることが考えられる。しかし、読取対象の汚れや画像読取装置の周囲温度のような光量低下の程度の正確な計測を阻害する要因がある。阻害要因を考慮しないと、光源の光量低下の程度を正確に測ることができず、光源の寿命を正確に判定できないという問題がある。阻害要因を考慮しなければ、まだ交換しなくてよい光源に対し、光量低下のため交換すべきと誤った判定がなされる可能性がある。
【０００７】
なお、特許文献１記載の技術によれば、ファーストコピーまでの時間を大きく短縮し、適正な（高画質な）画像データを得ることができる。しかし、経年変化による光源の光量低下に関する技術ではない。従って、上記の問題に対応することはできない。
【０００８】
本発明は、上記従来技術の問題点に鑑み、阻害要因に対応しつつ、光量低下の程度を正確に認識し、早すぎず、かつ、遅すぎない適切なタイミングでの光源の交換を促す。
【課題を解決するための手段】
【０００９】
上記目的を達成するために、請求項１に係る画像読取装置は、基準板、光源、イメージセンサー、移動機構、電流制御回路、Ａ／Ｄ変換回路、記憶部、制御部、報知部を含む。前記光源は、読取対象に光を照射する。前記イメージセンサーは、主走査方向に並べられ原稿の反射光を光電変換する受光素子を複数含む。前記移動機構は、前記読取対象の読み取りラインを移動させる。前記電流制御回路は、前記光源に流す電流を制御する。前記Ａ／Ｄ変換回路は、それぞれの前記受光素子から出力されるアナログ信号を濃度値にディジタル変換する。前記記憶部は、前記受光素子のうちの特定受光素子について、使用開始当初の前記光源に基準電流を流して前記基準板を読み取ったときに得られた濃度値を前記基準濃度値として記憶する。前記制御部は、前記光源への前記基準電流の供給を前記電流制御回路に行わせ、前記基準濃度値に基づき基準値を定め、前記基準板の読み取りで得られた画像データの濃度値に基づき前記特定受光素子に対応する画素のなかから前記基準板の汚れの影響を受けた影響画素を選び出し、前記特定受光素子に対応する画素のうち前記影響画素ではない画素の濃度値である現在濃度値と、前記影響画素の濃度値に対し前記基準板の汚れの影響を除去する調整をした後の調整濃度値の何れか一方又は両方に基づき現在値を定め、前記現在値を前記基準値で除して比率を求め、前記比率が予め定められた閾値以下であるとき、前記光源の寿命がきたと判定する寿命判定処理を行う。前記報知部は、前記制御部が前記光源の寿命がきたと判定したとき、前記光源の交換を促す報知を行う。
【発明の効果】
【００１０】
本発明によれば、阻害要因に対応しつつ、光量低下の程度を正確に認識することができる。そして、早すぎず、かつ、遅すぎない適切なタイミングでの光源の交換を使用者に促すことができる。
【図面の簡単な説明】
【００１１】
【図１】実施形態に係る複合機の一例を示す図である。
【図２】実施形態に係る原稿搬送部と画像読取部の一例を示す図である。
【図３】実施形態に係る画像読取装置の一例を示す図である。
【図４】実施形態に係る画像読取装置での基準濃度値の設定の流れの一例を示すフローチャートである。
【図５】実施形態に係る光源の寿命判定処理の流れの一例を示すフローチャートである。
【図６】実施形態に係る光源の寿命判定処理の濃度値の置換を説明するための図である。
【図７】変形例に係る光源の寿命判定処理の流れの一例を示す図である。
【図８】変形例に係る温度補正データの一例を示す図である。
【発明を実施するための形態】
【００１２】
以下、図１〜図８を用い、本発明の実施形態及びその変形例に係る画像読取装置１００を説明する。本説明では、画像読取装置１００を含む複合機１０１（画像形成装置）を説明する。なお、本実施の形態に記載されている構成、配置等の各要素は、発明の範囲を限定せず、単なる説明例にすぎない。
【００１３】
（複合機１０１）
図１を用いて、実施形態に係る複合機１０１を説明する。図１は、実施形態に係る複合機１０１の一例を示す図である。
【００１４】
図１に示すように、複合機１０１には制御部１、記憶部２、印刷部３、が設けられる。また、複合機１０１は、原稿搬送部４、画像読取部５、操作パネル６を含む。
【００１５】
制御部１は、複合機１０１の全体制御を司る。制御部１は、ＣＰＵ１１と、画像読取部５から出力される画像データに基づき画像処理を行う画像処理部１２が設けられる。又、複合機１０１には、ＲＯＭ、ＨＤＤやフラッシュＲＯＭのような不揮発性メモリーとＲＡＭのような揮発性のメモリーを含む記憶部２が設けられる。記憶部２は、制御に関するプログラムやデータを記憶する。制御部１は、記憶部２のプログラムやデータを利用して各部を制御する。制御部１は、コピーや送信のようなジョブのときに行われるスキャン、印刷、送信、画像データの記憶を制御する。
【００１６】
印刷部３は、給紙部３ａ、搬送部３ｂ、画像形成部３ｃ、定着部３ｄを含む。給紙部３ａは、用紙を供給する。搬送部３ｂは、用紙を搬送し、印刷済み用紙を機外に排出する。画像形成部３ｃは、画像データに基づきトナー像を形成し、搬送される用紙にトナー像を転写する。定着部３ｄは、転写されたトナー像を用紙に定着させる。制御部１は印刷部３の動作を制御する。
【００１７】
操作パネル６は、表示パネル６１、タッチパネル６２、ハードキー６３を含む。制御部１は、操作パネル６の状態や各種メッセージや設定用画面を表示パネル６１に表示させる。タッチパネル６２は、使用者のタッチ位置を検知するためのものである。制御部１は、タッチパネル６２の出力に基づき、表示パネル６１に表示されたキーやボタンのような操作画像のうち、操作されたものを認識する。ハードキー６３は、ジョブの実行開始を指示するためのスタートキーや、数字を入力するためのテンキーを含む。操作パネル６は、スキャンやコピーのようなジョブに関し、タッチパネル６２、ハードキー６３に対する設定操作を受け付ける。制御部１は、操作パネル６と通信し設定内容を認識する。
【００１８】
又、複合機１０１は、通信部７を含む。通信部７は、ＰＣのようなコンピューター２００や、サーバー３００や、ＦＡＸ装置４００と、ネットワークやケーブルや公衆回線を介して通信可能に接続される。制御部１は、コンピューター２００、サーバー３００、又は、ＦＡＸ装置４００に向けて、原稿読み取りに基づく画像データを通信部７に送信させる（送信ジョブ）。また、制御部１は、通信部７で受信したコンピューター２００、サーバー３００、又は、ファクシミリ装置からのデータに基づく印刷を印刷部３に行わせる（プリンタージョブ）。
【００１９】
（画像読取装置１００の構成）
次に、図１〜図３を用いて、実施形態に係る画像読取装置１００の一例を説明する。図２は、実施形態に係る原稿搬送部４と画像読取部５の一例を示す図である。図３は、実施形態に係る画像読取装置１００の一例を示す図である。
【００２０】
複合機１０１は、画像読取装置１００を含む。画像読取装置１００は、原稿搬送部４、画像読取部５、制御部１、記憶部２、操作パネル６（報知部に相当）、通信部７（報知部に相当）を含む（図１参照）。制御部１、記憶部２は、画像読取装置１００の制御に関する部分としても機能し、操作パネル６、通信部７は、画像読取装置１００の報知部としても機能する。
【００２１】
図２に示すように、原稿搬送部４は、画像読取部５の上方に設けられる。原稿搬送部４は、画像読取部５に対し上下方向に開閉し、セットされた原稿を送り読み取り用コンタクトガラス５１（読み取り位置）に向けて搬送する。また、原稿搬送部４は原稿を上方から押さえるカバーとして機能する。原稿搬送部４は、原稿搬送方向上流側から順に、原稿トレイ４１、供給ローラー４２、原稿搬送路４３、複数の搬送ローラー対４４、排出ローラー対４５、排出トレイ４６を含む。
【００２２】
図３に示すように、原稿搬送部４は、原稿搬送部４の動作の制御を行う原稿搬送制御部４０を含む。原稿搬送制御部４０は、ＣＰＵや、制御用のプログラムやデータを記憶するメモリーを含む基板である。原稿搬送制御部４０は、制御部１や読取制御部５０と通信可能に接続される。原稿搬送制御部４０は、制御部１や読取制御部５０からの原稿搬送開始の指示を受け、原稿搬送部４での原稿搬送の動作制御を行う。
【００２３】
原稿搬送部４は、原稿トレイ４１に用紙が存在する否かを検知するための原稿セットセンサー４７を含む（図３参照）。コピーや送信のような原稿読み取りを行うジョブの実行指示が操作パネル６になされたとき（スタートキーが操作されたとき）、制御部１は、原稿セットセンサー４７の出力を確認する。原稿トレイ４１に原稿がセットされている場合、制御部１は、原稿搬送を原稿搬送制御部４０に指示する。この指示を受け、原稿搬送制御部４０は、原稿搬送モーター４８を駆動させ、供給ローラー４２や搬送ローラー対４４を回転させる。供給ローラー４２と各搬送ローラー対４４は、読み取り位置に向けて原稿を搬送する。原稿は、画像読取部５の上面に設けられた送り読み取り用コンタクトガラス５１の上側を通過する。この通過の際、画像読取部５が原稿の表面を読み取る（送り読み取り）。
【００２４】
送り読み取り用コンタクトガラス５１の上面に白基準板４９が設けられる。原稿は、送り読み取り用コンタクトガラス５１と白基準板４９の間を通過しつつ搬送される。白基準板４９は、原稿搬送におけるガイドとして機能する。なお、白基準板４９は、シェーディング補正の白基準値を定めるときにも読み取られる。
【００２５】
画像読取部５は箱形の筐体を有する。そして、画像読取部５の上面左側に、透明板状の送り読み取り用コンタクトガラス５１が設けられる。画像読取部５の上面かつ、送り読み取り用コンタクトガラス５１の右側に、透明板状の載置読取用コンタクトガラス５２が配される。書籍のような搬送できない原稿が載置読取用コンタクトガラス５２にセットされる。原稿搬送部４に原稿がセットされていないとき、画像読取部５は、載置読取用コンタクトガラス５２にセットされた原稿に光を照射し、反射に基づき原稿の表面を読み取って画像データを生成する（テーブル読み取り）。
【００２６】
画像読取部５には、画像読取部５の動作の制御を行う読取制御部５０が設けられる。読取制御部５０は、ＣＰＵ、メモリー、集積回路などを含む基板である。読取制御部５０は、制御部１からの指示、信号を受け、原稿の読み取りを行う。なお、読取制御部５０を設けず、制御部１が画像読取部５の制御、処理を行うようにしてもよい。
【００２７】
図２に示すように、画像読取部５は、レンズ５３と、原稿に照射された光が入射され、１ライン毎に原稿を読み取り、画像データを生成するためのイメージセンサー５４を含む。また、画像読取部５は、筐体内に、読取対象の読み取りラインの位置（イメージセンサー５４が読み取るラインの位置）を移動させる移動機構として、第１移動枠５５、第２移動枠５６、ワイヤー５７、巻取ドラム５８、巻取モーター５９を含む。
【００２８】
第１移動枠５５は、主走査方向に沿って読み取り対象に光を照射するランプ５５ａと、その下方に第１ミラー５５ｂを支持する。実施形態に係るランプ５５ａは、棒状の導光管（不図示）と、導光管体の一方又は両方の端部に設けられたＬＥＤ８（光源に相当）を含む。導光管は、ＬＥＤ８の光を導き、主走査方向に沿って均等に光を読み取り対象に照射する。また、冷陰極管のような他の発光体をランプ５５ａの光源に用いてもよい。
【００２９】
第２移動枠５６は、上方に第２ミラー５６ａ、下方に第３ミラー５６ｂを支持する。又、第１移動枠５５は第２移動枠５６の上方に配される。ＬＥＤ８、第１ミラー５５ｂ、第２ミラー５６ａ、第３ミラー５６ｂは、主走査方向（図２の紙面垂直方向）に延びる形状である。複数本のワイヤー５７が、第１移動枠５５及び第２移動枠５６には取り付けられる（尚、図２では、便宜上、ワイヤー５７は１本のみ図示）。又、ワイヤー５７の他端は巻取ドラム５８に接続される。巻取ドラム５８は、巻取モーター５９を駆動源とする。巻取モーター５９の正逆回転により、巻取ドラム５８は正逆回転する。これにより、第１移動枠５５と第２移動枠５６を水平方向に自在に移動させることができる。
【００３０】
ランプ５５ａから各コンタクトガラスの上側に向けて、光が照射される。読み取り対象で反射された光は、各ミラーを経てレンズ５３に導かれる。レンズ５３は、反射光を集光しイメージセンサー５４に入射する。イメージセンサー５４は、例えば、ライン状に並べられた受光素子（光電変換素子）を複数含むラインセンサーである。イメージセンサー５４の各受光素子（各画素）は、反射光のレベル（受光量）に応じてアナログの電気信号に変換する。具体的に、イメージセンサー５４の各受光素子は、１ラインの読み取り期間（電荷蓄積期間）中、受光量が多いほど、大きなアナログ電圧を出力する。
【００３１】
また、図３に示すように、画像読取部５内には、電流制御回路８０、ＡＦＥ部５１０、データ生成処理部５１３が設けられる。電流制御回路８０（ＬＥＤドライバー回路）は、ＬＥＤ８の点消灯を制御するとともに、ＬＥＤ８（光源）に流す（供給する）電流の大きさを制御する。電流制御回路８０は、制御部１又は読取制御部５０に指示された大きさの電流をＬＥＤ８に流すことができる。
【００３２】
イメージセンサー５４の各受光素子が出力するアナログ信号は、ＡＦＥ部５１０（Analog Front End）に入力される。ＡＦＥ部５１０は、各受光素子のアナログ信号を処理し、各受光素子のアナログ信号をディジタル値に変換する回路である。ＡＦＥ部５１０は、増幅処理を行ってアナログ信号を調整する増幅回路５１１と、調整されたアナログ信号のＡ／Ｄ変換を行うＡ／Ｄ変換回路５１２を含む。増幅回路５１１のゲインは調整できる。また、ＡＦＥ部５１０には、オフセット処理を行うオフセット回路を含めてもよい。ＡＦＥ部５１０は、各受光素子の出力に基づくアナログ信号を８ビットや１０ビットのディジタル値に変換する。
【００３３】
データ生成処理部５１３は、ＡＦＥ部５１０で生成されたディジタル値を並べ、ページ単位の画像データを生成する。このとき、データ生成処理部５１３は、シェーディング補正のような読み取りに起因する画像の濃度の歪みを補正する処理を行う。データ生成処理部５１３により生成された各ページの画像データは、画像メモリー５１４に一時的に蓄えられた後、記憶部２に送信される。コピーや送信のようなジョブを実行するとき、記憶部２に記憶された画像データが読み出される。画像処理部１２は、操作パネル６での設定に合わせた画像処理を画像データに対して行う。
【００３４】
（基準濃度値Ｄ１の設定）
次に、実施形態に係る画像読取装置１００での基準濃度値Ｄ１の設定の流れの一例を説明する。図４は、実施形態に係る画像読取装置１００での基準濃度値Ｄ１の設定の流れの一例を示すフローチャートである。
【００３５】
ＬＥＤ８のような光源は、使用しているうちに発光特性が変わる。使用に伴い光源の劣化が徐々に進行し、例えば、同じ大きさの電流を流しても、使用時間の多いＬＥＤ８の方が、発光量が少なくなる。電流制御回路８０がＬＥＤ８に供給する電流を増やすなどして光源の劣化に対応することは可能である。しかし、ＬＥＤ８は発光量が落ちてゆくと読み取りで得られる画像データの画質の維持が難しくなる。
【００３６】
そこで、画像読取装置１００は、光源寿命予測機能を有する。言い換えると、ＬＥＤ８の寿命判定処理を行う機能を有する。この寿命判定処理のため、画像読取装置１００は、ある大きさの電流を使用開始当初のＬＥＤ８に流して白基準板４９を読み取ったときの読み取りで得られた濃度値（画素値、濃度を示すディジタル値）を基準濃度値Ｄ１として記憶部２に記憶させる。言い換えると、使用開始当初のＬＥＤ８の光量を示す値を基準濃度値Ｄ１として記憶部２に記憶させる（図３参照）。
【００３７】
基準濃度値Ｄ１の設定は、ＬＥＤ８の使用開始当初であって、白基準板４９、送り読み取り用コンタクトガラス５１に汚れが付いていない状態で行うことが望ましい。例えば、基準濃度値Ｄ１の設定（記憶）は、複合機１０１の組み立て後、工場出荷前の検査時に行うことができる。顧客への複合機１０１の設置時に基準濃度値Ｄ１を設定してもよい。
【００３８】
図４のスタートは、画像読取装置１００で基準濃度値Ｄ１の設定を開始する時点である。操作パネル６に所定の入力を行うことにより、基準濃度値Ｄ１の設定を開始することができる。
【００３９】
制御部１は、温度センサー９の出力に基づき、周囲温度を検知する（ステップ♯１１）。画像読取装置１００には、周囲温度（機外温度）を検知するための温度センサー９が搭載される（図３参照）。制御部１は、温度センサー９の出力に基づき、画像読取装置１００の設置場所の温度を周囲温度として検知する。制御部１は、基準濃度値Ｄ１の設定時の周囲温度（設定時温度、検知した周囲温度）を周囲温度データＤ２として記憶部２に記憶させる（ステップ♯１２、図３参照）。
【００４０】
次に、制御部１は、基準電流をＬＥＤ８に供給する指示を電流制御回路８０に与え、この指示に基づき、電流制御回路８０は、基準電流をＬＥＤ８に流す（ステップ♯１３）。基準電流の大きさは、適宜定めることができる。工場出荷時、ＬＥＤ８の光量を適切な大きさに設定する調整がなされる。例えば、白基準板４９を読み取ったとき、イメージセンサー５４の何れか１つ、又は、複数の受光素子から得られる濃度値が、白飛びせず、上限値（例えば、８ビットであれば２４０〜２５５程度）に近い範囲に収まるようにＬＥＤ８に流す電流の大きさ（光量）を設定することがある。または、計測器を用いて、仕様で予め定められた光量が得られるように、ＬＥＤ８に流す電流値の大きさを設定することもある。基準電流の大きさは、これらの調整後の電流値としてもよい。
【００４１】
制御部１は、巻取モーター５９を動作させ、読み取りラインの位置を白基準板４９の下方に移動させる（ステップ♯１４）。続いて、制御部１は、白基準板４９の読み取りをイメージセンサー５４に行わせる（ステップ♯１５）。そして、制御部１は、受光素子のうち、特定受光素子について、白基準板４９の読み取りで得られた濃度値を基準濃度値Ｄ１として記憶部２に記憶させる（ステップ♯１６）。このとき、複数ライン分、白基準板４９を読み取って、特定受光素子ごとに濃度値の平均値を求め、平均値を各特定受光素子の基準濃度値Ｄ１として記憶部２に記憶させてもよい。ステップ♯１６により、基準濃度値Ｄ１の設定は完了する（エンド）。
【００４２】
ここで、イメージセンサー５４に含まれる受光素子のうち、１つを特定受光素子としてもよい。１つの場合、ライン状に並ぶ受光素子のうち、先頭、最後尾、中央のような予め定められた位置の１つの受光素子が特定受光素子とされる。
【００４３】
イメージセンサー５４に含まれる受光素子のうち、複数の受光素子を特定受光素子としてもよい。この場合、ライン状に並ぶ受光素子のうち、予め定められた位置の複数の受光素子が特定受光素子とされる。どの位置の受光素子を特定受光素子とするかは、適宜定めることができる。例えば、ライン状に並ぶ受光素子を複数のブロックに分け、ブロック内の何れか１つの受光素子を代表として特定受光素子としてもよい。また、例えば、中央部分のような特定のブロックに含まれる全て又は一部の受光素子を特定受光素子としてもよい。また、全ての受光素子を特定受光素子としてもよい。また、特定受光素子が複数の場合、複数の特定受光素子の濃度値の平均値を基準濃度値Ｄ１として記憶させてもよい。
【００４４】
（光源の寿命判定処理）
次に、図５、図６を用いて、実施形態に係る光源の寿命判定処理の流れの一例を説明する。図５は、実施形態に係る光源の寿命判定処理の流れの一例を示すフローチャートである。図６は、実施形態に係る光源の寿命判定処理での濃度値の置換を説明するための図である。
【００４５】
図５のスタートは、光源（ＬＥＤ８）の寿命判定処理の開始条件が満たされたときである。例えば、制御部１は、画像読取装置１００（複合機１０１）の主電源が投入され、画像読取装置１００を構成する全ての部分の起動が完了したとき、開始条件が満たされたと判定する。また、制御部１は、コピーや送信のような原稿読み取りを伴うジョブの実行開始が指示されたとき、開始条件が満たされたと判定してもよい。
【００４６】
まず、制御部１は、温度センサー９の出力に基づき、周囲温度を検知する（ステップ♯２１）。続いて、制御部１は、基準濃度値Ｄ１の設定時の周囲温度（設定時温度）と現在の周囲温度の温度差を求める（ステップ♯２２）。
【００４７】
制御部１は、温度差が許容範囲内か（温度差の絶対値が許容値以下か）否かを確認する（ステップ♯２３）。使用するＬＥＤ８の温度特性とのかねあいで許容範囲は適宜定めることができる。例えば、許容範囲は、数度程度とすることができる。温度差ゼロを許容範囲と設定して、基準濃度値Ｄ１の設定時の周囲温度と、現時点の周囲温度が同じときのみ寿命の判定がなされるようにすることができる。
【００４８】
ＬＥＤ８の発光効率は温度により異なる。基準濃度値Ｄ１の設定時の温度と現時点の温度の差が大きいと、正確な光量低下の程度を測ることができない可能性が大きくなる。そこで、温度差が許容範囲外のとき（温度差の絶対値が許容値を超えているとき、ステップ♯２３のＮｏ）、制御部１は、本フローを終了させ、寿命の判定を行わない（エンド）。
【００４９】
一方、温度差が許容範囲内のとき（ステップ♯２３のＹｅｓ）、制御部１は、基準電流（基準の大きさの電流）をＬＥＤ８に供給する指示を電流制御回路８０に与え、この指示に基づき、電流制御回路８０は、基準電流をＬＥＤ８に流す（ステップ♯２４）。制御部１は、巻取モーター５９を動作させ、読み取りラインの位置を白基準板４９の下方に移動させる（ステップ♯２５）。続いて、制御部１は、巻取モーター５９を動作させて読み取りラインを移動させつつ、副走査方向の異なる位置で白基準板４９の読み取りをイメージセンサー５４に行わせる（ステップ♯２６）。言い換えると、制御部１は、副走査方向の異なる位置で白基準板４９の複数ラインの読み取りをイメージセンサー５４に行わせる（ステップ♯２６）。
【００５０】
次に、制御部１は、白基準板４９の読み取りで得られた画像データ（各画素のディジタル値）に基づき、画像データ中の特定受光素子に対応する画素の中から基準板の汚れの影響を受けた影響画素を選び出す（ステップ♯２７）。つまり、汚れを読み取った受光素子に対応する濃度値（画素値、濃度を示すディジタル値）を選び出す。
【００５１】
白基準板４９の汚れは、ランプ５５ａからの光を吸収したり、乱反射させたりする。その結果、白基準板４９の汚れを読み取った受光素子から得られる濃度値は、汚れが無いときに比べ暗い（濃い）値となる。例えば、制御部１は、読み取りで得られた各画素のディジタル値の平均を求め、平均よりも一定値以上暗い濃度値を影響画素として選び出してもよい。また、白基準板４９に汚れがあるとき、主走査方向で複数画素にわたって暗い画素が続く場合がある。そこで、制御部１は、所定値以下の濃度値（暗い濃度値）が続いている部分の画素を影響画素として選び出してもよい。
【００５２】
そして、制御部１は、特定受光素子に対応する画素のうち影響画素ではない画素の濃度値である現在濃度値と、影響画素の濃度値から基準板の汚れの影響の除去の調整をした後の調整濃度値の何れか一方又は両方に基づき現在値を定める（ステップ♯２８）。
【００５３】
このとき、制御部１は、影響画素が含まれていない読み取りラインの画像データに含まれる現在濃度値に基づき現在値を定めるようにしてもよい。この場合、制御部１は、現在濃度値のみに基づいて現在値を定める。
【００５４】
特定受光素子が１つの場合、制御部１は、影響画素が含まれていない読み取りラインのうち、何れか１つの読み取りラインの画像データに含まれる１つの特定受光素子の現在濃度値を現在値と定める。特定受光素子が複数の場合、制御部１は、影響画素が含まれていない読み取りラインのうち、何れか１つの読み取りラインの画像データに含まれる複数の特定受光素子の現在濃度値の平均値を現在値と定める。
【００５５】
ここで、全ての読み取りラインの画像データに影響画素が含まれている場合があり得る。そのような場合、制御部１は、影響画素の濃度値に対して白基準板４９の汚れの影響を除去する調整を行い、調整後の濃度値（調整濃度値）に基づき、現在値を定めても良い。具体的に、制御部１は、主走査方向又は副走査方向で影響画素を挟み、基準板の汚れの影響を受けていない画素の濃度値の平均値に影響画素の濃度値を置換する。
【００５６】
図６を用いて、濃度値の置換を説明する。図６は、ステップ♯２６の読み取りで得られた画像データの一部の領域（主走査方向１６ドット×副走査方向８ドット）を示す図である。また、図６では、副走査方向に沿ってアルファベットＡ〜Ｈの列番号を付し、主走査方向に沿って１〜１６の行番号を付している。
【００５７】
そして、図６に示す画像データのうち、斜線で示す画素に対応する画素が制御部１により影響画素と判定された画素である。図６の例では、制御部１は、Ｃ６、Ｄ６、Ｅ６、Ｄ７、Ｅ７、Ｄ８の画素を影響画素と認識している。他の画素については、制御部１は、基準板の汚れの影響を受けていない画素と判定している。このように、濃度値の置換を行う場合、制御部１は、ステップ♯２６の読み取りで得られた画像データに含まれるそれぞれの画素について、基準板の汚れの影響を受けているか否かを判別する。言い換えると、制御部１は、特定受光素子ではない受光素子の濃度値についても基準板の汚れの影響を受けた画素か否かを判定する。判定の手法は、ステップ♯２７と同様でよい。
【００５８】
制御部１は、主走査方向で影響画素を挟む画素であって白基準板４９の汚れの影響を受けていない画素の濃度値の平均値に影響画素の濃度値を置換してもよい。図６の例では、制御部１は、Ｃ６の影響画素の濃度値を、Ｃ５とＣ７の濃度値の平均値に置換する。制御部１は、Ｄ６、Ｄ７、Ｄ８の影響画素の濃度値を、Ｄ５とＤ９の濃度値の平均値に置換する。制御部１は、Ｅ６、Ｅ７の影響画素の濃度値を、Ｅ５とＥ８の濃度値の平均値に置換する。
【００５９】
また、制御部１は、副走査方向で影響画素を挟む画素であって、白基準板４９の汚れの影響を受けていない画素の濃度値の平均値に影響画素の濃度値を置換してもよい。図６の例では、制御部１は、Ｃ６、Ｄ６、Ｅ６の影響画素の濃度値を、Ｂ６とＦ６の濃度値の平均値に置換する。制御部１は、Ｄ７、Ｅ７の影響画素の濃度値を、Ｃ７とＦ７の濃度値の平均値に置換する。制御部１は、Ｄ８の影響画素の濃度値をＣ８とＥ８の濃度値の平均値に置換する。
【００６０】
特定受光素子が１つであって、特定受光素子に対応する画素が影響画素のとき、制御部１は、読み取りラインのうち何れか１つの読み取りラインの画像データに含まれる画素であって、１つの特定受光素子に対応する調整濃度値を現在値と定める。
【００６１】
特定受光素子が複数のとき、制御部１は、読み取りラインのうち何れか１つの読み取りラインの画像データに含まれる特定受光素子に対応する画素のうち、影響画素については調整濃度値を適用し、影響画素でない画素については読み取りで得られた画像データの濃度値（現在濃度値、調整していない濃度値）を適用し、各濃度値の平均値を現在値として定める。
【００６２】
このように、基準板の汚れの影響を受けないでＬＥＤ８の寿命を正確に判定するため、制御部１は、現在濃度値と基準板の汚れの影響を除去した調整濃度値の何れか一方又は両方に基づき現在値を定める（ステップ♯２８）。
【００６３】
続いて、制御部１は、基準濃度値Ｄ１に基づき、基準値を定める（ステップ♯２９）。特定受光素子が１つの場合、制御部１は、１つの特定受光素子の基準濃度値Ｄ１を基準値と定める。特定受光素子が複数の場合、制御部１は、複数の特定受光素子の基準濃度値Ｄ１の平均値を基準値と定める。基準値は、使用当初のＬＥＤ８の光量を示す値として、現在値は現時点のＬＥＤ８の光量を示す値となる。
【００６４】
制御部１は、現在値を基準値で除して比率を求める（ステップ♯２１０）。言い換えると、使用開始時のＬＥＤ８（光源）の光量を１００とした場合、制御部１は、基準電流を流して現在のＬＥＤ８の光量がどの程度にまで低下しているかを示す値を求める。
【００６５】
制御部１は、求められた比率が予め定められた閾値以下であるか否かを確認する（ステップ♯２１１）。閾値は適宜定めることができる。例えば、使用開始当初の光量の８０％程度をＬＥＤ８の寿命に設定する場合、閾値は０．８と設定される。比率が閾値を超えているとき（ステップ♯２１１のＮｏ）、制御部１は、光源（ＬＥＤ８）の寿命はまだある（尽きていない）と判定する（ステップ♯２１２）。そして、本フローは終了する（エンド）。
【００６６】
比率が閾値以下のとき、制御部１は、光源の寿命が尽きたと判定する（ステップ♯２１３）。そして、制御部１は、操作パネル６（表示パネル６１）と通信部７の何れか一方、又は、両方にＬＥＤ８の交換を促す報知を行わせる（ステップ♯２１４）。言い換えると、制御部１は、光源の光量低下を伝えるメッセージと、光源の交換を促すメッセージを表示パネル６１に表示させる、または、管理者のコンピューター２００やＦＡＸ装置４００に向けて通信部７に送信させる。
【００６７】
（光源の寿命判定処理の変形例）
次に、図７、図８を用いて、光源の寿命判定処理の変形例を説明する。図７は、変形例に係る光源の寿命判定処理の流れの一例を示す図である。図８は、変形例に係る温度補正データＤ３の一例を示す図である。
【００６８】
図５に示す寿命判定処理の流れでは、基準濃度値Ｄ１の設定時の周囲温度と、現時点の周囲温度の温度差が大きいとき、寿命の判定を行わない例を説明した。本変形例では、基準濃度値Ｄ１の設定時の周囲温度と現時点の周囲温度に温度差に応じて白基準板の読み取りで得られた画像データの濃度値を補正して、正確に光源の光量低下の程度を判定する例を説明する。
【００６９】
図７に示すフローチャートのうち、ステップ♯３１、ステップ♯３２は、図５のステップ♯２１、ステップ♯２２と同じであり、同様に説明できるので、説明を省略する。本変形例では、現時点の周囲温度が許容範囲か否かの確認を行う必要はないので、図５のステップ♯２３の処理は不要である。また、図７に示すフローチャートのうち、ステップ♯３３〜ステップ♯３５は、図５のステップ♯２４〜ステップ♯２６と同じであり、同様に説明できるので、説明を省略する。
【００７０】
本変形例のステップ♯３６では、制御部１は、ステップ♯２６の読み取りで得られた画像データに含まれる各画素の濃度値を温度差に応じて補正する（ステップ♯３６）。言い換えると、制御部１は、各画素の濃度値を現在の周囲温度が設定時温度であるならば得られると予測される濃度値に補正する。補正する濃度値には、特定受光素子に対応する画素の濃度値も含まれる。
【００７１】
図８は、温度補正データＤ３の一例を示す。温度補正データＤ３では、温度差（現時点の周囲温度−設定時温度）に応じた係数が定義される。図８の温度補正データＤ３は、光源にＬＥＤ８を用いる場合のデータの一例を示す。本実施形態のＬＥＤ８は、温度が高いほど発光効率が下がり、温度が低いほど発光効率が高くなるタイプである。言い換えると、一定電流を流すとき、ＬＥＤ８は、周囲温度が高いほど光量が小さくなり、周囲温度が低いほど光量が大きくなる。その結果、ＬＥＤ８に供給する電流の大きさが同じとき、現時点の周囲温度が高いほど、白基準板４９の読み取りで得られる画像データに含まれる濃度値は、基本的に暗い値となる。
【００７２】
イメージセンサー５４の各受光素子のアナログ信号は、受光量が多いほど大きくなり、得られる濃度値が大きくなる。そこで、図８の温度補正データＤ３では、現時点の周囲温度が基準濃度値Ｄ１の設定時温度よりも高いほど大きい係数が定義される。温度差ゼロを含む一定範囲では、係数を１．０となる。
【００７３】
制御部１は、温度補正データＤ３の中から温度差に応じた係数を選択し、基準電流をＬＥＤ８に流した状態で白基準板４９の読み取りで得られた画像データの各画素の濃度値に選択した係数を乗じ、各濃度値を補正する（ステップ♯３６）。これにより、と現在の温度が基準濃度値Ｄ１の設定時と同じならば得られると予測される値に各濃度値を補正し、正確に寿命の判定を行えるようにする。
【００７４】
図７に示すフローチャートのうち、ステップ♯３７〜ステップ♯３１４は、図５のステップ♯２７〜ステップ♯２１４と同じであり、同様に説明できるので、説明を省略する。なお、ステップ♯３７〜ステップ♯３１４は、補正後の濃度値を用いて処理が行われる。
【００７５】
このようにして、本実施形態の画像読取装置１００は、基準板、光源（ＬＥＤ８）、イメージセンサー５４、移動機構（第１移動枠５５、第２移動枠５６、ワイヤー５７、巻取ドラム５８、巻取モーター５９）、電流制御回路８０、Ａ／Ｄ変換回路５１２、記憶部２、制御部１、報知部（操作パネル６、通信部７）を含む。光源は、読取対象に光を照射する。イメージセンサー５４は、主走査方向に並べられ原稿の反射光を光電変換する受光素子を複数含む。移動機構は、読取対象の読み取りラインを移動させる。電流制御回路８０は、光源に流す電流を制御する。Ａ／Ｄ変換回路５１２は、それぞれの受光素子から出力されるアナログ信号を濃度値にディジタル変換する。記憶部２は、受光素子のうちの特定受光素子について、使用開始当初の光源に基準電流を流して基準板を読み取ったときに得られた濃度値を基準濃度値Ｄ１として記憶する。制御部１は、光源への基準電流の供給を電流制御回路８０に行わせ、基準濃度値Ｄ１に基づき基準値を定め、基準板の読み取りで得られた画像データの濃度値に基づき特定受光素子に対応する画素のなかから基準板の汚れの影響を受けた影響画素を選び出し、特定受光素子に対応する画素のうち影響画素ではない画素の濃度値である現在濃度値と、影響画素の濃度値に対し基準板の汚れの影響を除去する調整をした後の調整濃度値の何れか一方又は両方に基づき現在値を定め、現在値を基準値で除して比率を求め、比率が予め定められた閾値以下であるとき、光源の寿命がきたと判定する寿命判定処理を行う。報知部は、制御部１が光源の寿命がきたと判定したとき、光源の交換を促す報知を行う。
【００７６】
まず、光源の使用開始当初の光量を示す値として、基準電流を流して光源を点灯させて基準板を読み取ったときの特定受光素子の基準濃度値Ｄ１が予め記憶される。これにより、基準濃度値Ｄ１と現時点で光源に基準電流を流したときの特定受光素子の濃度値（現在濃度値）を比較し、どれほど光量の低下（光源の劣化）が進んでいるかを示す値を得ることができる。つまり、使用開始当初の光量に対する現時点の光量の比率を得ることができる。
【００７７】
ここで、汚れによって光の乱反射や吸収が生ずるので、基準板の汚れを読み取った特定受光素子の現在濃度値は、汚れがない場合に比べ暗い値となる。そのため、基準板の汚れは、光量低下の程度の正確な計測を阻害する要因となる。そして、本画像読取装置１００の寿命判定処理では、基準板の汚れの影響を除外するので、現時点の光量低下の程度を正確に示す値（比率）が求められる。これにより、使用開始当初から閾値に対応する一定光量分だけ低下し、交換すべき適切なタイミングで光源の交換を促す報知を行うことができる。正確に光量低下の程度が計測されるので、報知を行う時点は、早すぎることもなく、遅すぎることもない。
【００７８】
又、寿命判定処理では、移動機構は、基準板の下方で読み取りラインを移動させる。イメージセンサー５４は、読み取りラインの移動にあわせ、副走査方向の異なる位置で基準板を読み取る。そして、制御部１は、影響画素が含まれていない読み取りラインの画像データに含まれる現在濃度値に基づき現在値を定めてもよい。これにより、基準板の汚れの影響を受けていない現在濃度値のみに基づいて比率を定めるので、光源の劣化の程度を正確に示す比率を得ることができる。
【００７９】
又、寿命判定処理では、制御部１は、調整として、主走査方向又は副走査方向で影響画素を挟む画素であって、基準板の汚れの影響を受けていない画素の濃度値の平均値への置換を行い、調整濃度値を用いて現在値を定めてもよい。これにより、基準板の汚れの影響を受けた現在濃度値に対して調整（置換）を行い、調整後の現在濃度値に基づいて比率を定めるので、光源の劣化の程度を正確に示す比率を得ることができる。
【００８０】
光源の発光効率は、周囲温度（環境温度）の影響を受け、同じ大きさの電流を光源に流しても、周囲温度により光量に差がでる。そのため、基準濃度値Ｄ１の設定時の周囲温度と寿命判定処理時の周囲温度の温度差は、光量低下の程度の正確な計測を阻害する要因となり得る。そこで、画像読取装置１００は、周囲温度を検知するための温度センサー９を含む。制御部１は、温度センサー９の出力に基づき周囲温度を検知する。記憶部２は、基準濃度値Ｄ１の設定時の周囲温度を設定時温度として記憶する。
【００８１】
そして、制御部１は、現在の周囲温度と設定時温度との温度差を求め、温度差が予め定められた許容範囲内のとき光源の寿命の判定を行い、温度差が許容範囲外のとき光源の寿命の判定を行わないようにしてもよい。これにより、現時点の周囲温度と基準濃度値Ｄ１の設定時の周囲温度との温度差が、光源の光量低下の程度を正確に把握できないほど大きいとき、寿命判定処理を行わないようにすることができる。言い換えると、正確に光源の光量低下の程度を把握できる温度環境であるときのみ、寿命判定処理を行う。従って、正確な光源の光量低下の程度示す比率を得ることができる。例えば、まだまだ寿命が残っているのに、光源の寿命が尽きたと判定する誤判定を無くすことができる。
【００８２】
あるいは、変形例で説明したように、記憶部２は、温度による光源の発光効率の違いに起因する濃度値の変化が打ち消されるように、基準濃度値Ｄ１の設定時の周囲温度である設定時温度と現在の周囲温度との温度差に対応する係数を定めた温度補正データＤ３を記憶させておく。そして、制御部１は、寿命判定処理のとき、温度差を求め、現在の周囲温度での基準板の読み取りで得られた画像データに含まれる各画素の濃度値に、温度差に対応する係数を乗じて、現在の周囲温度が設定時温度であるならば得られると予測される値に各画素の濃度値を補正し、補正後の濃度値に基づき現在値を定めるようにしてもよい。
【００８３】
基準濃度値Ｄ１の設定時の周囲温度と寿命判定処理時の周囲温度の温度差は、光量低下の程度の正確な計測を阻害する要因となり得る。そこで、周囲温度に応じた光源の発光効率の変化を考慮し、現在値を定めるための読み取りで得られた画像データの各濃度値の大きさを補正することができる。具体的には、現時点の温度が基準濃度値Ｄ１の設定時の周囲温度と同じ温度であるならば得られると予測される値に各濃度値を補正する。従って、周囲温度の影響を除外し、光量低下の程度を正確に示す比率を得ることができる。
【００８４】
又、特定受光素子は、予め定められた位置の複数の受光素子でもよい。制御部１は、複数の特定受光素子の基準濃度値Ｄ１の平均値を基準値と定め、複数の特定受光素子に対応する現在濃度値と、調整濃度値の何れか一方、又は、両方の平均値を現在値と定める。これにより、主走査方向での複数の濃度値の平均に基づき基準値及び現在値を求めることができる。従って、光量低下の程度を正確に示す値（比率）を得ることができる。
【００８５】
又、特定受光素子は、予め定められた位置の１つの受光素子でもよい。制御部１は、１つの特定受光素子の現在濃度値又は１つの特定受光素子の調整濃度値を現在値と定め、１つの特定受光素子の基準濃度値Ｄ１を基準値と定める。これにより、主走査方向での１つ濃度値に基づき基準値及び現在値を求めることができる。従って、基準値及び現在値を定める演算を簡易なものとすることができる。
【００８６】
又、基準濃度値Ｄ１は、画像読取装置１００の組み立て後、出荷前に記憶されたものとしてもよい。これにより、光源の使用開始当初の読み取りで得られた濃度値を基準濃度値Ｄ１として記憶させることができる。
【００８７】
以上、本発明の実施形態を説明したが、本発明の範囲はこれに限定されず、発明の主旨を逸脱しない範囲で種々の変更を加えて実施することができる。
【産業上の利用可能性】
【００８８】
本発明は、画像読取装置やこれを備えた画像形成装置に利用可能である。
【符号の説明】
【００８９】
１００  画像読取装置                    １      制御部
２      記憶部                          ４９    白基準板（基準板）
５４    イメージセンサー                ５５    第１移動枠（移動機構）
５６    第２移動枠（移動機構）          ５７    ワイヤー（移動機構）
５８    巻取ドラム（移動機構）          ５９    巻取モーター（移動機構）
５１２  Ａ／Ｄ変換回路                  ６      操作パネル（報知部）
７      通信部（報知部）                ８      ＬＥＤ（光源）
８０    電流制御回路                    ９      温度センサー
Ｄ１    基準濃度値                      Ｄ３    温度補正データ
【図１】
2017229026.tif 000003
【図２】
2017229026.tif 000004
【図３】
2017229026.tif 000005
【図４】
2017229026.tif 000006
【図５】
2017229026.tif 000007
【図６】
2017229026.tif 000008
【図７】
2017229026.tif 000009
【図８】
2017229026.tif 000010